(57)【要約】      （修正有）【課題】より安価に製造可能、且つより簡単に組み立てることができるランプ取り付け装置を提供する。【解決手段】ランプ取り付け装置は、本体と、一対の第１のフック１２と一対の第２のフック１３とを有するように形成されたフックユニット１と、第１の受入れ溝２１と第２の受入れ溝２２とが形成されている保持ユニット２と、第１の受入れ溝２１に対応する第１の保持ベルト３と、第２の受入れ溝２２に対応する第２の保持ベルト４と、を具え、第２の保持ベルト４を一対の第２のフック１３に引っ掛けることで保持ユニット２を自転車に固定し、第１の保持ベルト３を一対の第１のフック１２に引っ掛けることでランプを自転車に取り付けることができる。【選択図】図１
0003202276.tif 000002
【実用新案登録請求の範囲】
【請求項１】
ランプを自転車に取付けるためのランプ取付け装置であって、
本体と該本体の周縁から突出するように配置されている一対の第１のフックと一対の第２のフックと、を有するように形成されたフックユニットと、
前記フックユニットより柔らかくて可撓性を有する材料により作成され、前記フックユニットが有する前記本体を包みながら前記一対の第１のフック及び前記一対の第２のフックを露出させるように前記フックユニットに設けられ、且つ表面に前記ランプに対応して前記ランプの一部を受入れることができる第１の受入れ溝と、前記自転車に対応して前記自転車の一部を受入れることができる第２の受入れ溝とが形成されている保持ユニットと、
前記フックユニットが有する前記一対の第１のフックを引っかけることができる複数の第１の取付け孔が形成されていると共に、前記保持ユニットに形成された前記第１の受入れ溝に対応して、前記一対の第１のフックがそれぞれ異なる前記第１の取付け孔に引っかけられた際に前記ランプの前記一部を前記第１の受入れ溝内に固定することができるように、可撓性を有する材料により作成された第１の保持ベルトと、
前記フックユニットが有する前記一対の第２のフックを引っかけることができる複数の第２の取付け孔が形成されていると共に、前記保持ユニットに形成された前記第２の受入れ溝に対応して、前記一対の第２のフックがそれぞれ異なる前記第２の取付け孔に引っかけられた際に前記自転車の前記一部を前記第２の受入れ溝内に固定することができるように、可撓性を有する材料により作成された第２の保持ベルトと、を具えることを特徴とするランプ取付け装置。
【請求項２】
前記フックユニットが有する前記本体は、
第１の面と該第１の面の反対側にある第２の面とを有すると共に、互いに略平行する一対の第１の対辺と、前記一対の第１の対辺と略直交し且つ互いに略平行する一対の第２の対辺との２対の対辺を有する略四角形に形成された板状部と、
前記板状部の前記一対の第１の対辺からそれぞれ前記第１の面が面する側へ突起する一対の第１の壁部と、
前記板状部の前記一対の第２の対辺からそれぞれ前記第２の面が面する側へ突起する一対の第２の壁部と、を有するように形成されており、
前記一対の第１のフックは、それぞれ前記一対の第１の壁部が前記板状部から突起した先端から前記板状部の外側且つ前記第２の面が面する側へ延伸するように形成されており、
前記一対の第２のフックは、それぞれ前記一対の第２の壁部が前記板状部から突起した先端から前記板状部の外側且つ前記第１の面が面する側へ延伸するように形成されていることを特徴とする請求項１に記載のランプ取付け装置。
【請求項３】
前記フックユニットが有する前記本体は、前記板状部の前記第１の面から突起し且つ前記第１の壁部と略直交する複数の第１のサポータを更に有するように形成されていることを特徴とする請求項２に記載のランプ取付け装置。
【請求項４】
前記フックユニットが有する前記本体は、前記板状部の前記第２の面から突起し且つ前記第２の壁部と略直交する複数の第２のサポータを更に有するように形成されていることを特徴とする請求項２または請求項３に記載のランプ取付け装置。
【請求項５】
前記保持ユニットに形成されている前記第１の受入れ溝は、前記フックユニットが有する前記本体の前記第１の面が面する側に配置されていると共に、前記第２の面が面する側へ凹陥するように形成されており、
前記保持ユニットに形成されている前記第２の受入れ溝は、前記フックユニットが有する前記本体の前記第２の面が面する側に配置されていると共に、前記第１の面が面する側へ凹陥するように形成されていることを特徴とする請求項２〜請求項４のいずれか一項に記載のランプ取付け装置。
【考案の詳細な説明】
【技術分野】
【０００１】
本考案は、ランプを自転車に取り付けるための取り付け装置に関する。
【背景技術】
【０００２】
ランプを自転車に取り付けるための取り付け装置としては、例えば特許文献１に示されるものがある。特許文献１に示される従来のランプ取り付け装置は、上部がランプを保持することができるように構成されていると共に、下部にボールジョイントが形成されているランプ固定座と、自転車のハンドルバーに取付けられることができるハンドルバー取付部が形成されているハンドル取付座と、ハンドル取付座の前記ハンドルバー取付部に対応して自転車のハンドルバーに取付けられている該ハンドル取付座を固定することができる保持ベルトと、を有する上、前記ハンドル取付座と共にランプ固定座のボールジョイントを挟んで該ボールジョイントを保持することができる保持板と、前記保持板及び前記ランプ固定座を共に挿通することにより前記保持板を前記ランプ固定座に固定することができるボルトと、ハンドル取付座の前記ハンドルバー取付部と自転車のハンドルバーとの間に介在して該ハンドル取付座の前記自転車のハンドルバーに対する回転を阻止する滑り止めパッドとを更に有している。
【先行技術文献】
【特許文献】
【０００３】
【特許文献１】台湾特許第Ｍ３７５１８１号公報
【考案の概要】
【考案が解決しようとする課題】
【０００４】
以上のように、特許文献１に記載されている該従来のランプ取り付け装置では、ランプ固定座と、ハンドル取付座と、保持板と、保持ベルトと、ボルトと、滑り止めパッドとを有するように構成され、その部品の数が多く、且つランプ固定座及びハンドル取付座はランプを保持するためまたは自転車のハンドルバーに取付けられるために複雑な形状になっているので、製造及び組み立てにおけるコストは高い。
【０００５】
本考案は、以上の問題点を解決し、従来より安価に製造することができ、且つより簡単に組み立てることができるランプ取り付け装置を提供することを目的とする。
【課題を解決するための手段】
【０００６】
上記目的を達成すべく、本考案は、ランプを自転車に取付けるためのランプ取付け装置であって、本体と該本体の周縁から突出するように配置されている一対の第１のフックと一対の第２のフックとを有するように形成されたフックユニットと、前記フックユニットより柔らかくて可撓性を有する材料により作成され、前記フックユニットが有する前記本体を包みながら前記一対の第１のフック及び前記一対の第２のフックを露出させるように前記フックユニットに設けられ、且つ表面に前記ランプに対応して前記ランプの一部を受入れることができる第１の受入れ溝と、前記自転車に対応して前記自転車の一部を受入れることができる第２の受入れ溝とが形成されている保持ユニットと、前記フックユニットが有する前記一対の第１のフックを引っかけることができる複数の第１の取付け孔が形成されていると共に、前記保持ユニットに形成された前記第１の受入れ溝に対応して、前記一対の第１のフックがそれぞれ異なる前記第１の取付け孔に引っかけられた際に前記ランプの前記一部を前記第１の受入れ溝内に固定することができるように、可撓性を有する材料により作成された第１の保持ベルトと、前記フックユニットが有する前記一対の第２のフックを引っかけることができる複数の第２の取付け孔が形成されていると共に、前記保持ユニットに形成された前記第２の受入れ溝に対応して、前記一対の第２のフックがそれぞれ異なる前記第２の取付け孔に引っかけられた際に前記自転車の前記一部を前記第２の受入れ溝内に固定することができるように、可撓性を有する材料により作成された第２の保持ベルトと、を具えるランプ取り付け装置を提供する。
【考案の効果】
【０００７】
以上の構成により、本考案のランプ取り付け装置は、第２の保持ベルトの取付け孔をフックユニットが有する一対の第２のフックに引っ掛けると共に例えばハンドルバーなど自転車の一部を挟みながら該フックユニット及び該フックユニットに設けられている保持ユニットを自転車に固定し、そして第１の保持ベルトの取り付け孔をフックユニットが有する一対の第１のフックに引っ掛けると共にランプの一部を挟みながら該ランプを保持ユニットに固定することにより、ランプを自転車に取り付けることができる。即ち、本考案は、ランプ取り付け装置自体を組み立てる必要が全くない上、第１の保持ベルト及び第２の保持ベルトをそれぞれフックユニットが有する一対の第１のフックまたは一対の第２のフックに引っ掛ける操作だけでランプを自転車に取り付けることができるランプ取り付け装置を提供することができ、且つ従来のランプ取り付け装置より構成部品が少ないため、従来より安価に製造することができる。
【図面の簡単な説明】
【０００８】
【図１】本考案のランプ取り付け装置の好ましい実施形態の構成が示されている分解斜視図である。
【図２】本考案のランプ取り付け装置におけるフックユニットの構成が示されている拡大斜視図である。
【図３】本考案のランプ取り付け装置におけるフックユニットの構成が示されている他の視角から見た拡大斜視図である。
【図４】本考案のランプ取り付け装置がランプを保持しながら自転車に取付けられている様子が示されている断面説明図である。
【図５】本考案のランプ取り付け装置がランプを保持しながら自転車に取付けられている様子を他の視角から見た断面説明図である。
【考案を実施するための形態】
【０００９】
以下は、本考案によって構成されたランプ取り付け装置の好ましい実施形態について、添付図面を参照しながら詳しく説明する。
【００１０】
図１は、本考案のランプ取り付け装置の好ましい実施形態の構成が示されている分解斜視図である。図１に示されているように、本考案のランプ取り付け装置は、フックユニット１と、保持ユニット２と、第１の保持ベルト３と、第２の保持ベルト４とを具え、図中において破線で示されているランプ５を保持しながら自転車のハンドルバー６などに取り付けられることができるものである。
【００１１】
フックユニット１は、本体１１と、本体１１の周縁から突出するように配置されている一対の第１のフック１２と、一対の第２のフック１３と、を有するように形成されている。
【００１２】
保持ユニット２は、フックユニット１より柔らかくて可撓性を有する材料により、例えば射出成形法を用いて、フックユニット１が有する本体１１を図１に示されているように包みながら、一対の第１のフック１２及び一対の第２のフック１３を露出させるようにフックユニット１に設けられている。さらに、保持ユニット２の表面には、図１に示されているように、ランプ５に対応してランプ５の一部を受入れることができる第１の受入れ溝２１と、自転車に対応して自転車の一部（ここでは自転車のハンドルバー６）を受入れることができる第２の受入れ溝２２とが形成されている。
【００１３】
第１の保持ベルト３は、可撓性を有する材料により作成されたものであり、図１に示されているように、フックユニット１が有する各第１のフック１２を引っかけることができる第１の取付け孔３１が複数形成されている。この構成により、第１の保持ベルト３は、図４に示されているように、保持ユニット１に形成された第１の受入れ溝２１に対応して、該第１の受入れ溝２１がランプ５の一部を受入れている際、それぞれ異なる第１の取付け孔３１に一対の第１のフック１２が引っかかるようにフックユニット１に取付けられることにより、ランプ５を第１の保持ベルト３と該第１の受入れ溝２１との間に挟むように、第１の受入れ溝２１内に固定することができる。
【００１４】
第２の保持ベルト４は、第１の保持ベルト３と類似する構成になっており、即ち、第２の保持ベルト４も可撓性を有する材料により作成されたものであり、図２に示されているように、フックユニット１が有する各第２のフック１３を引っかけることができる第２の取付け孔４１が複数形成されている。この構成により、第２の保持ベルト４は、図５に示されているように、保持ユニット１に形成された第２の受入れ溝２２に対応して、該第２の受入れ溝２２が自転車のハンドルバー６を受入れている際、一対の第２のフック１３がそれぞれ異なる第２の取付け孔４１に引っかかるようにフックユニット１に取付けられることにより、自転車のハンドルバー６を第２の保持ベルト４と該第２の受入れ溝２２との間に挟むように、第２の受入れ溝２２内に固定することができる。
【００１５】
続いて、図１〜図３を用いて、フックユニット１及び保持ユニット２の構成について詳しく説明する。図２と図３に示すように、フックユニット１に形成される本体１１は、第１の面１１１Ａと該第１の面１１１Ａの反対側にある第２の面１１１Ｂとを有すると共に、互いに略平行する一対の第１の対辺１１１Ｃと、前記一対の第１の対辺１１１Ｃと略直交し且つ互いに略平行する一対の第２の対辺１１１Ｄとの２対の対辺を有する略四角形に形成された板状部１１１と、板状部１１１の第１の対辺１１１Ｃからそれぞれ第１の面１１１Ａが面する側へ突起する一対の第１の壁部１１２と、板状部１１１の第２の対辺１１１Ｄからそれぞれ第２の面１１１Ｂが面する側へ突起する一対の第２の壁部１１３とを有するように形成されている。更に、図示されているように、本体１１は、板状部１１１の第１の面１１１Ａから突起し且つ第１の壁部１１２と略直交するように形成されている複数（この実施形態では２対合わせて４つ）の第１のサポータ１４と、板状部１１１の第２の面１１１Ｂから突起し且つ第２の壁部１１３と略直交するように形成されている複数（この実施形態では２対合わせて４つ）の第２のサポータ１５とが形成されており、これらの第１のサポータ１４及び第２のサポータ１５を有することにより、フックユニット１の機械的強度を高めてその変形もしくは破損を防ぐことができる上、フックユニット１の本体１１を包む保持ユニット２と嵌まり合って保持ユニット２との一体性を強化することができる。
【００１６】
また、この実施形態において、第１のサポータ１４及び第２のサポータ１５はそれぞれ４つ設けられているが、本考案はこれに限らず、必要に応じて第１のサポータ１４または第２のサポータ１５の数量や設置位置を変えることが可能である。
【００１７】
一対の第１のフック１２は、図２及び図３に示されているように、それぞれ一対の第１の壁部１１２が板状部１１１から突起した先端から板状部１１１の外側且つ第２の面１１１Ｂが面する側（図２及び図３における下側）へ延伸するように形成されている。
【００１８】
一対の第２のフック１３は、図２及び図３に示されているように、それぞれ一対の第２の壁部１１３が板状部１１１から突起した先端から板状部１１１の外側且つ第１の面１１１Ａが面する側（図２及び図３における上側）へ延伸するように形成されている。
【００１９】
更に、図１に示すように、保持ユニット２に形成されている第１の受入れ溝２１は、フックユニット１が有する本体１１の第１の面１１１Ａ（図２、図３参照）が面する側（図１及び図２における上側）に配置されていると共に、第２の面１１１Ｂ（図２、図３参照）が面する側（図１及び図２における下側）へ凹陥するように形成されている。また、保持ユニット２に形成されている第２の受入れ溝２２は、フックユニット１が有する本体１１の第２の面１１１Ｂ（図２、図３参照）が面する側（図１及び図２における下側）に配置されていると共に、第１の面１１１Ａ（図２、図３参照）が面する側（図１及び図２における上側）へ凹陥するように形成されている。
【００２０】
上記構成により、本考案のランプ取り付け装置は図４及び図５に示すように、例えば自転車のハンドルバー６などを第２の受入れ溝２２に収容してから、第２の保持ベルト４の取付け孔４１をフックユニット１が有する一対の第２のフック１３に引っ掛けることによりハンドルバー６を第２の保持ベルト４と第２の受入れ溝２２との間に挟みながらフックユニット１及び該フックユニット１に取付けられている保持ユニット２を自転車のハンドルバー６に取付け、そしてランプ５の一部を第１の受入れ溝２１に収容してから、第１の保持ベルト３の取り付け孔３１をフックユニット１が有する一対の第１のフック１２に引っ掛けることにより該ランプ５の一部を第１の保持ベルト３と第１の受入れ溝２１との間に挟みながら該ランプ５を保持ユニット２に取付けることにより、本考案のランプ取り付け装置を介してランプ５を自転車のハンドルバー６に取り付けることができる。
【００２１】
また、保持ユニット２に形成された第１の受入れ溝２１または第２の受入れ溝２２の第１の保持ベルト３または第２の保持ベルト４との対応により、ランプ５または自転車の一部は、サイズが第１の受入れ溝２１または第２の受入れ溝２２より小さいものであれば、第１の受入れ溝２１または第２の受入れ溝２２で収容して且つ第１の保持ベルト３または第２の保持ベルト４により第１の受入れ溝２１または第２の受入れ溝２２内に挟んで保持することができる。
【００２２】
更に、第１の保持ベルト３または第２の保持ベルト４にそれぞれ形成された第１の取付け孔３１または第２の取付け孔４１とフックユニット１が有する一対の第１のフック１２または一対の第２のフック１３との対応により、第１の保持ベルト３または第２の保持ベルト４それぞれの一対の第１のフック１２または一対の第２のフック１３の間の長さを調整することができるので、サイズの異なるランプ５または自転車の一部に対応して確実に第１の受入れ溝２１または第２の受入れ溝２２内に挟むことができる。
【００２３】
更にまた、保持ユニット２は可撓性を有する材料により作成されているので、ランプ５または自転車の一部のサイズが第１の受入れ溝２１または第２の受入れ溝２２より多少大きくても、保持ユニット２がその可撓性により変形してそのサイズの大きいランプ５または自転車の一部を第１の受入れ溝２１または第２の受入れ溝２２内に挟んで保持することができる。
【産業上の利用可能性】
【００２４】
上記のように、本考案は、保持ユニット２はフックユニット１に設けられるのでランプ取り付け装置自体を組み立てる工程を全く必要としない上、第１の保持ベルト及び第２の保持ベルトをそれぞれフックユニットが有する一対の第１のフックまたは一対の第２のフックに引っ掛ける操作だけでランプを自転車に取り付けることができるランプ取り付け装置を提供することができ、且つ従来のランプ取り付け装置より構成部品が少ないため従来より安価に製造することができる。
【符号の説明】
【００２５】
１        フックユニット
１１      本体
１１１    板状部
１１１Ａ  第１の面
１１１Ｂ  第２の面
１１１Ｃ  第１の対辺
１１１Ｄ  第２の対辺
１１２    第１の壁部
１１３    第２の壁部
１２      第１のフック
１３      第２のフック
１４      第１のサポータ
１５      第２のサポータ
２        保持ユニット
２１      第１の受入れ溝
２２      第２の受入れ溝
３        第１の保持ベルト
３１      第１の取付け孔
４        第２の保持ベルト
４１      第２の取付け孔
５        ランプ
６        自転車のハンドルバー
【図１】
0003202276.tif 000003
【図２】
0003202276.tif 000004
【図３】
0003202276.tif 000005
【図４】
0003202276.tif 000006
【図５】
0003202276.tif 000007